(57)【要約】【課題】新規に契約する顧客が顧客端末でインターネットバンキング利用申込情報を入力する操作を削減させる。【解決手段】自動取引装置１が入力された電子メールアドレスとカードから読み取った口座情報をホストコンピュータ３へ送信し、ホストコンピュータ３が受信した口座情報に基づいて勘定系マスタデータベース４を検索して抽出した顧客情報と電子メールアドレスをインターネットバンキングサーバ５へ送信する。インターネットバンキングサーバ５は受信した口座情報に関連付けて電子メールアドレス、顧客情報、新たに生成したユーザＩＤおよびパスワードをネットバンク顧客情報データベース６に格納するとともにそのユーザＩＤおよびパスワードを該電子メールアドレスに送信するようにした。【選択図】        図１
2008077586.tif 000002
【特許請求の範囲】
【請求項１】
顧客の操作により電子メールアドレスの入力を受け付けるとともにカードから支店番号、口座科目、口座番号等の口座情報を読取る自動取引装置と、
前記口座情報に関連付けて顧客の郵便番号や住所等の顧客情報を予め格納する勘定系マスタデータベースを備え、前記自動取引装置から受信した口座情報に基づいて前記勘定系マスタデータベース検索して顧客情報を抽出するホストコンピュータと、
前記口座情報に関連付けて顧客の電子メールアドレスおよび顧客情報を格納する顧客情報データベースを備え、前記ホストコンピュータから口座情報、電子メールアドレス、および顧客情報を受信し、該口座情報に関連付けて電子メールアドレスおよび顧客情報を顧客情報データベースに格納させる顧客情報構築部と、前記顧客情報を表示する領域およびその顧客情報が正しいことを通知する入力手段で構成された最終確認画面を生成し、該最終確認画面を表示させるための接続情報を前記電子メールアドレスに送信するとともに該最終確認画面で入力手段が押下されたことを検知する最終確認ページ処理部と、前記入力手段が押下されたことを検知したとき、新たに生成したユーザＩＤおよびパスワードを該口座情報に関連付けて前記顧客情報データベースに格納するとともに該ユーザＩＤおよびパスワードを前記電子メールアドレスに送信して顧客に知らせる登録情報処理部とを有するインターネットバンキングサーバとを設け、
インターネットバンキング取引を利用可能にする契約を行なうようにしたことを特徴とするインターネットバンキング新規契約システム。
【請求項２】
自動取引装置が、顧客の操作により電子メールアドレスの入力を受け付けるとともにカードから支店番号、口座科目、口座番号等の口座情報を読取るステップと、
ホストコンピュータが、前記口座情報に関連付けて顧客の郵便番号や住所等の顧客情報を予め格納する勘定系マスタデータベースを前記自動取引装置から受信した口座情報に基づいて検索して顧客情報を抽出するステップと、
インターネットバンキングサーバが、
前記ホストコンピュータから口座情報、電子メールアドレス、および顧客情報を受信し、該口座情報に関連付けて電子メールアドレスおよび顧客情報を顧客情報データベースに格納させるステップと、
前記顧客情報を表示する領域およびその顧客情報が正しいことを通知する入力手段で構成された最終確認画面を生成し、該最終確認画面を表示させるための接続情報を前記電子メールアドレスに送信するとともに表示された該最終確認画面で該入力手段が押下されたことを検知するステップと、
前記入力手段が押下されたことを検知したとき、新たに生成したユーザＩＤおよびパスワードを該口座情報に関連付けて前記顧客情報データベースに格納するとともに該ユーザＩＤおよびパスワードを前記電子メールアドレスに送信して顧客に知らせるステップとを有することを特徴とするインターネットバンキング新規契約方法。
【発明の詳細な説明】
【技術分野】
【０００１】
本発明は、電子メールを利用してインターネットバンキングの新規契約の処理を行うインターネットバンキング新規契約システムおよびインターネットバンキング新規契約方法に関する。
【背景技術】
【０００２】
従来のインターネットバンキング新規契約システムは、パーソナルコンピュータ等の顧客端末で顧客の操作により郵便番号や住所、口座が開設された支店、口座科目、口座番号、暗証番号等のインターネットバンキング利用申込情報の入力を受付け、そのインターネットバンキング利用申込情報をインターネット上に公開されたインターネットバンキング用サーバに送信し、インターネットバンキング用サーバが受信したインターネットバンキング利用申込情報に基づいてインターネットバンキングの契約の可否を判断して契約が可能な場合、利用ＩＤを発行するようにしている（例えば、特許文献１参照）。
【０００３】
また、金融機関が提供する金融商品やサービスに関する情報を電子メールで受け取ることを可能にするため、自動取引装置で顧客の操作により電子メールアドレスを管理サーバに登録することを可能にしているものもある（例えば、特許文献２参照）。
【特許文献１】特開２００１−３５０９１８号公報（段落「００２７」〜段落「００３１」、図２）
【特許文献２】特開２００３−３０４４７号公報（段落「００４７」〜段落「００４８」、図１）
【発明の開示】
【発明が解決しようとする課題】
【０００４】
しかしながら、上述した従来の技術においては、インターネットバンキングを利用することができるように新規に契約する顧客は顧客端末で郵便番号や住所、口座が開設された支店、口座科目、口座番号等のインターネットバンキング利用申込情報を入力する操作を行う必要があり、その操作に時間がかかってしまうという問題がある。
本発明は、このような問題を解決することを課題とする。
【課題を解決するための手段】
【０００５】
そのため、本発明は、顧客の操作により電子メールアドレスの入力を受け付けるとともにカードから支店番号、口座科目、口座番号等の口座情報を読取る自動取引装置と、前記口座情報に関連付けて顧客の郵便番号や住所等の顧客情報を予め格納する勘定系マスタデータベースを備え、前記自動取引装置から受信した口座情報に基づいて前記勘定系マスタデータベース検索して顧客情報を抽出するホストコンピュータと、前記口座情報に関連付けて顧客の電子メールアドレスおよび顧客情報を格納する顧客情報データベースを備え、前記ホストコンピュータから口座情報、電子メールアドレス、および顧客情報を受信し、該口座情報に関連付けて電子メールアドレスおよび顧客情報を顧客情報データベースに格納させる顧客情報構築部と、前記顧客情報を表示する領域およびその顧客情報が正しいことを通知する入力手段で構成された最終確認画面を生成し、該最終確認画面を表示させるための接続情報を前記電子メールアドレスに送信するとともに該最終確認画面で入力手段が押下されたことを検知する最終確認ページ処理部と、前記入力手段が押下されたことを検知したとき、新たに生成したユーザＩＤおよびパスワードを該口座情報に関連付けて前記顧客情報データベースに格納するとともに該ユーザＩＤおよびパスワードを前記電子メールアドレスに送信して顧客に知らせる登録情報処理部とを有するインターネットバンキングサーバとを設け、インターネットバンキング取引を利用可能にする契約を行なうようにしたことを特徴とする。
【発明の効果】
【０００６】
このようにした本発明は、新規に契約する顧客は顧客端末で郵便番号や住所、口座が開設された支店、口座科目、口座番号等のインターネットバンキング利用申込情報を入力する操作が必要なくなり、顧客端末の操作時間を短縮することができるという効果が得られる。
【発明を実施するための最良の形態】
【０００７】
以下、図面を参照して本発明によるインターネットバンキング新規契約システムおよびインターネットバンキング新規契約方法の実施例を説明する。
【実施例】
【０００８】
図１は実施例におけるインターネットバンキング新規契約システムの構成を示すブロック図である。
図１において、１は自動取引装置であり、銀行等の金融機関の店舗またはコンビニエンスストア等の店舗等に設置されるものである。この自動取引装置１は、専用線等の通信回線２に通信可能に接続され、顧客が金融機関に開設した口座の支店番号、口座科目、口座番号等の口座情報が記録された磁気ストライプやＩＣチップ付きのカードの挿入を受付けて現金引出しや預け入れ取引、金融機関の金融商品やサービスに関する情報を電子メールで受信するための電子メールアドレスを登録する電子メールアドレス登録等の取引を行うものである。
【０００９】
３はホストコンピュータであり、銀行等の金融機関の事務センタ等に設置される自動取引装置１の上位装置である。このホストコンピュータ３はＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段である制御部、磁気ディスク、半導体メモリ等の記憶手段である記憶部および通信手段である通信部等を備えるものであり、通信回線２を介して自動取引装置１等と相互に通信可能に接続されている。
【００１０】
また、このホストコンピュータ３は自動取引装置１との間で現金引出し、現金入金、電子メールアドレス登録等の取引電文の送受信を行い顧客の取引を成立させるか否かを判断するとともにその取引の処理を行う。
４は勘定系マスタＤＢ（ＤａｔａＢａｓｅ）であり、ホストコンピュータ３に備えられた顧客の口座番号等の口座情報に関連付けて暗証番号、郵便番号や住所、および口座残高等の顧客情報を予め格納するデータベースである。この勘定系マスタＤＢ４に格納される口座情報は顧客が所持するカードに記録された口座情報と同一のものであり、このカードから読取った口座情報を自動取引装置１から受信したホストコンピュータ３は、その口座情報に基づいて勘定系マスタＤＢ４を検索して暗証番号、郵便番号や住所、口座残高等の顧客情報を抽出することができる。
【００１１】
自動取引装置１は挿入されたカードから読取った顧客の口座情報、および顧客の操作により入力された暗証番号をホストコンピュータ３へ送信し、ホストコンピュータ３は受信した暗証番号と受信した口座情報に基づいて勘定系マスタＤＢ４から抽出した暗証番号とを照合して本人認証を行なう。
なお、本実施例では暗証番号を使用した本人認証を行なうものとして説明するが、暗証番号に変えて手のひらや指先の静脈パターン、指紋、虹彩等の生体情報であってもよい。
【００１２】
５はインターネットバンキングサーバであり、銀行等の金融機関の事務センタ等に設置されたインターネットバンキングサービスを提供するＷＥＢサーバとしての機能を有するものである。このインターネットバンキングサーバ５はＣＰＵ等の演算および制御手段、磁気ディスク、半導体メモリ等の記憶手段および通信手段等を備え、通信回線２を介してホストコンピュータ３と、インターネット等の通信回線７を介して後述する顧客端末と相互に通信可能に接続されたものである。
【００１３】
６はネットバンク顧客情報ＤＢ（顧客情報データベース）であり、インターネットバンキングサーバ５に備えられ、インターネットバンキングサーバ５が提供するインターネットバンキングサービスを受けることができる顧客の情報を格納するデータベースである。このネットバンク顧客情報ＤＢ６は、顧客の口座情報に関連付けてその顧客の電子メールアドレス、郵便番号や住所等の顧客情報、インターネットバンキング用のユーザＩＤ、およびパスワードを格納する。
【００１４】
８は顧客端末であり、顧客が操作するパーソナルコンピュータや携帯電話等である。この顧客端末８はＣＰＵ等の演算および制御手段である制御部、磁気ディスクや半導体メモリ等の記憶手段である記憶部、キーボード等の入力部、液晶ディスプレイ等の表示部、および通信手段である通信部等を備えるものであり、通信回線７を介してインターネットバンキングサーバ５等と相互に通信可能に接続されている。
【００１５】
このようにインターネットバンキング新規契約システムは自動取引装置１、ホストコンピュータ３、勘定系マスタＤＢ４、インターネットバンキングサーバ５、ネットバンク顧客情報ＤＢ６、および顧客端末８等で構成され、顧客は、自動取引装置１および顧客端末８を操作してインターネットバンキングの利用を新規に契約することができ、契約後は顧客端末８を操作してインターネットバンキングサーバ５にログインすることにより、インターネットバンキングサーバ５が提供する口座情報の照会、振替、振込み等のインターネットバンキング取引を行うことができる。
【００１６】
次に、自動取引装置１の構成を説明する。
図２は実施例における自動取引装置の構成を示すブロック図である。
図２において、１１は顧客操作表示部であり、タッチパネル等の操作部および液晶ディスプレイ等の表示部で構成されたものである。この顧客操作表示部１１はＣＲＴディスプレイや液晶ディスプレイ等の表示部上にタッチパネルを配置し顧客が入力操作等を行なうものであり、また、取引選択画面、顧客が選択した取引に対して顧客の入力操作等の誘導を行なう画面および入力された情報等を表示するものである。
【００１７】
１２はカードリーダ部であり、カード読取り書込み機構等を備えたものである。このカードリーダ部１２は、カード読取り書込み機構により顧客の操作によりカード挿入口から挿入されたカードの磁気ストライプやＩＣチップに記録された情報を読取ることができ、また情報を書き込むことができるものである。
なお、カードの磁気ストライプやＩＣチップには顧客の口座番号等の口座情報が予め記録されているものとし、挿入されたカードはカード排出口から排出して顧客に返却することができるようになっているものとする。
【００１８】
１３は入出金部であり、紙幣入出金機および硬貨入出金機で構成されたものである。この入出金部１３は現金引出し取引や現金入金取引に伴う紙幣や硬貨の入出金処理を行なう。ここで、入金処理とは顧客が紙幣入出金口に入れた紙幣を紙幣入出金機で計数して金庫に収納し、硬貨入出金口に入れた硬貨を硬貨入出金機で計数して金庫に収納することである。また、出金処理とは顧客の操作により指定した金額に相当する紙幣および硬貨をそれぞれ紙幣入出金機および硬貨入出金機の金庫から繰り出して計数し紙幣入出金口および硬貨入出金口に搬送して顧客に払い出すことである。
【００１９】
なお、硬貨入出金機は存在しない構成であってもよい。
１４は記憶部であり、半導体メモリや磁気ディスク等で構成され情報を記憶し、記憶した情報を読取ることができるものである。この記憶部１４には自動取引装置１全体の動作を制御する制御プログラム（ソフトウェア）、顧客操作表示部１１に表示する画面データおよび顧客が行なう取引に必要な情報等を記憶する。
【００２０】
１５は制御部であり、ＣＰＵ等の演算および制御手段等で構成されたものである。この制御部１５は、電子メールアドレスの入力を受付けてインターネットバンキングの契約の手続を開始させるネットバンク契約受付処理部１５１を有し、そのネットバンク契約受付処理部１５１を含め、顧客操作表示部１１、カードリーダ部１２、入出金部１３、記憶部１４、および図示しない通信部を含めて自動取引装置１全体の動作を記憶部１４に格納された制御プログラム（ソフトウェア）に基づいて制御する。
【００２１】
なお、通信部は通信回線２を介して接続されたホストコンピュータ３等と相互にする通信を制御する手段であって、任意の情報を送信および受信することができるものである。
次に、インターネットバンキングサーバ５の構成を説明する。
図３は実施例におけるインターネットバンキングサーバの構成を示すブロック図である。
【００２２】
図３において、５１は制御部であり、ＣＰＵ等の演算および制御手段等で構成され、ネットバンク顧客情報構築処理部５１１、最終確認ページ処理部５１２、および登録情報処理部５１３等を有している。
このネットバンク顧客情報構築処理部５１１は、ホストコンピュータ３から受信した顧客の口座情報に関連付けられた暗証番号、郵便番号や住所等の顧客情報をネットバンク顧客情報ＤＢ６に格納し、インターネットバンキングを契約する顧客の顧客情報を構築する処理を行うものである。
【００２３】
また、最終確認ページ処理部５１２は、ネットバンク顧客情報ＤＢ６に格納したインターネットバンキングを契約する顧客の顧客情報を確認、および不足した情報がある場合、その入力を誘導するための画面を生成し、顧客端末８へ送信するとともに顧客端末８で確認結果や不足した情報を顧客端末８から受信し、その情報をネットバンク顧客情報ＤＢ６に補充する処理等を行うものである。
【００２４】
さらに、登録情報処理部５１３は、最終確認ページ処理部５１２で顧客情報の確認や不足した情報を補充した後、インターネットバンキングの利用を許可するユーザＩＤおよびパスワードを発行し、顧客端末８へ送信する処理を行うものである。
顧客端末８は受信したユーザＩＤおよびパスワードを表示して顧客に知らせ、以降、顧客はそのユーザＩＤおよびパスワードを顧客端末８で入力してインターネットバンキングサーバ５にログインすることによりインターネットバンキング取引を行うことができるようになる。
【００２５】
上述した構成の作用について説明する。
図４は実施例におけるインターネットバンキング新規契約処理を示すフローチャートであり、図中Ｓで表すステップにしたがって説明する。
なお、以下に説明する各部の動作は、図示しないメモリや磁気ディスク等の記憶手段に格納されたプログラム（ソフトウェア）に基づいて図示しない中央処理装置等の制御手段により制御される。
【００２６】
Ｓ１：自動取引装置１は図示しない近接センサにより顧客の接近を検知すると制御部１５の指示により顧客操作表示部１１は現金の引き出しや預け入れ、電子メールアドレス登録等の取引を選択する取引選択画面を表示する。この取引選択画面は、例えば「いらっしゃいませ  ご希望のお取引を押してください」等の文言、および「お引き出し」、「残高照会」、「通帳記帳」、「お預け入れ」、「電子メールアドレス登録（インターネットバンキング新規契約）」、「お振り替え」、ならびに「お振り込み」等の取引選択ボタン等で構成されたものである。
【００２７】
顧客は電子メールアドレス登録を選択することを示す「電子メールアドレス登録（インターネットバンキング新規契約）」取引選択ボタンを押下するものとし、顧客操作表示部１１はその操作を受け付けるものとする。
Ｓ２：電子メールアドレス登録を選択する操作を受け付けると制御部１５の指示により顧客操作表示部１１はカードの挿入を誘導するカード挿入誘導画面を表示する。このカード挿入誘導画面は、例えば「カードを入れてください」の文言や図柄等で構成されたものである。
【００２８】
顧客はこのカード挿入誘導画面にしたがってカードをカード挿入口に挿入する。カードの挿入を受け付けたカードリーダ部１２は制御部１５の指示によりカードから口座情報を読取る。制御部１５は読取った口座情報を記憶部１４に記憶させる。
Ｓ３：次に、制御部１５の指示により顧客操作表示部１１は暗証番号入力画面を表示する。この暗証番号入力画面は、例えば「暗証番号を入れてください」等の文言および「１」から「９」ならびに「０」のテンキー等で構成されたものである。
【００２９】
制御部１５の指示により顧客操作表示部１１は顧客の操作による暗証番号の入力を受け付ける。
暗証番号の入力を受け付けると制御部１５の指示により通信部はカードから読取った口座情報および入力された暗証番号を含む本人認証を依頼する電文をホストコンピュータ３へ送信する。
【００３０】
Ｓ４：ホストコンピュータ３は、受信した口座情報に基づいて勘定系マスタＤＢ４を検索し、その勘定系マスタＤＢ４に記憶された暗証番号を抽出し、その暗証番号と受信した暗証番号を比較し、一致するか否かを判定する本人認証を行なう。本実施例では、暗証番号が一致するものとし、本人認証が正常に終了するものとする。
Ｓ５：本人認証が終了すると制御部１５の指示により顧客操作表示部１１は電子メールアドレス入力画面を表示する。この電子メールアドレス入力画面は、例えば「電子メールアドレスを入力してください」等の文言および電子メールアドレスを入力するための「ａ」から「z」等のアルファベットキー、「＠」や「．」等の記号キー、ならびにテンキー等で構成されたものである。
【００３１】
顧客は電子メールアドレス入力画面で自己の電子メールアドレスを入力するものとする。
顧客操作表示部１１が電子メールアドレスの入力を受け付け、さらに顧客の操作により「確認」ボタンの押下を受け付けると制御部１５はカードから読取った口座情報とともに入力された電子メールアドレスをホストコンピュータ３へ送信する。
【００３２】
Ｓ６：ホストコンピュータ３は受信した口座情報に基づいて勘定系マスタＤＢ４を検索し、既に登録された顧客の郵便番号や住所等の顧客情報を抽出し、その顧客情報とともに自動取引装置１から受信した口座情報および電子メールアドレスをインターネットバンキングサーバ５へ送信する。
このように勘定系マスタＤＢ４に既に登録された顧客情報をインターネットバンキングサーバ５へ送信することにより、顧客による顧客情報の入力操作を省略することが可能になる。
【００３３】
電子メールアドレスをインターネットバンキングサーバ５へ送信するとホストコンピュータ３は自動取引装置１へ電子メールアドレスの登録が完了した旨を通知する。
その通知を受信した自動取引装置１の制御部１５の指示により顧客操作表示部１１は登録が完了したことを表示するとともにカードリーダ部１２は挿入されたカードを顧客に返却し、電子メールアドレス登録の取引を終了する。
【００３４】
Ｓ７：口座情報、電子メールアドレス、および顧客情報を受信したインターネットバンキングサーバ５のネットバンク顧客情報構築処理部５１１は、その電子メールアドレスおよび顧客情報を口座情報に関連付けてネットバンク顧客情報ＤＢ６に格納してネットバンク顧客情報を仮登録状態で構築する。
Ｓ８：ネットバンク顧客情報を構築するとインターネットバンキングサーバ５の最終確認ページ処理部５１２はネットバンク顧客情報ＤＢ６に格納した顧客情報を表示する領域およびその顧客情報が正しいことをインターネットバンキングサーバ５へ知らせるための「確認」ボタン（入力手段）等で構成された最終確認ページ画面情報を生成し、その最終確認ページ画面情報を口座情報に関連付けネットバンク顧客情報ＤＢ６に格納する。
【００３５】
なお、最終確認ページ画面は、表示した顧客情報に誤りや不足がある場合、その顧客情報を訂正や補充することができるものとする。
Ｓ９：最終確認ページ画面を生成するとインターネットバンキングサーバ５の制御部５１は受信した該顧客の顧客情報を確認させるための最終確認ページ画面への接続情報であるＵＲＬ（Ｕｎｉｆｏｒｍ  Ｒｅｓｏｕｒｃｅ  Ｌｏｃａｔｏｒ）を含む顧客情報の確認を依頼する電子メールを該顧客の口座情報に関連付けてネットバンク顧客情報ＤＢ６に格納された電子メールアドレスへ送信する。
【００３６】
Ｓ１０：顧客は顧客端末８を操作して受信した電子メールを表示させる。
Ｓ１１：顧客端末８は顧客の操作により最終確認ページ画面のＵＲＬがクリックされたことを検知するとそのＵＲＬで示されるインターネットバンキングサーバ５に接続し、ダウンロードした仮ログイン画面を表示する。この仮ログイン画面は、上述した仮登録したネットバンク顧客情報にアクセスするためのものであり、例えば支店番号を含む口座番号等の口座情報および暗証番号の入力を促すものである。
【００３７】
顧客端末８は顧客の操作により口座情報および暗証番号の入力を受付け、本人認証を行ないインターネットバンキングサーバ５にログインするものとする。
Ｓ１２：インターネットバンキングサーバ５にログインすると顧客端末８はインターネットバンキングサーバ５からネットバンク顧客情報ＤＢ６に格納された最終確認ページ画面情報をダウンロードして最終確認ページを表示する。
【００３８】
このとき、インターネットバンキングサーバ５は仮ログイン画面で入力された口座情報に基づいてネットバンク顧客情報ＤＢ６を検索し、最終確認ページ画面情報を抽出して顧客端末８へ送信するものとする。
さらに、顧客端末８は表示した顧客情報の訂正や補充を受付ける。顧客は顧客端末８に表示された最終確認ページの顧客情報を確認するとその内容を確定させる最終確認ページの「確認」ボタンをクリック（押下）するものとする。
【００３９】
このようにして顧客は自己の顧客情報を容易に確認することができるようになる。
Ｓ１３：「確認」ボタンのクリック（押下）を検知した顧客端末８はインターネットバンキングサーバ５へその旨を通知し、インターネットバンキングサーバ５の登録情報処理部５１３は正式なユーザＩＤおよびパスワードを生成し、そのユーザＩＤおよびパスワードをネットバンク顧客情報ＤＢ６に口座情報に関連付けて格納して本登録状態とするとともに該顧客の電子メールアドレスに送信して顧客に知らせる。
【００４０】
顧客は最終確認ページからログオフし、電子メールで送信されたユーザＩＤおよびパスワードを顧客端末８で確認する。
このようにしてインターネットバンキング新規契約処理を行い、顧客は電子メールで送信された正式なユーザＩＤおよびパスワードを利用してインターネットバンキングサーバ５にログインすることでインターネットバンキング取引を行うことができるようになる。
【００４１】
なお、インターネットバンキングサーバ５が生成するパスワードはワンタイムパスワードとすることが望ましい。
以上説明したように、本実施例では、顧客がインターネットバンキングの利用を新規に契約する場合、その顧客が口座開設時に既に登録した郵便番号や住所、口座が開設された支店、口座科目、口座番号等の顧客情報を利用するようにしたことにより、顧客は顧客端末で郵便番号や住所、口座が開設された支店、口座科目、口座番号等のインターネットバンキング利用申込情報を入力する操作が必要なくなり、入力操作のミスを防止するとともに顧客端末の操作時間を短縮することができるという効果が得られる。
【００４２】
また、顧客の電子メールアドレスをデータベースに登録するようにしたことにより、金融機関は金融商品の案内等の宣伝広告情報を電子メールで顧客に送信することができるようになり、ダイレクトメールを作成する時間や費用、郵送費用等を削減することができるという効果が得られる。
さらに、モバイルバンキングや住所変更等の各種申込を行うことができるＵＲＬを電子メールで顧客へ送信することができるようになり、金融機関の事務処理の負担を軽減させることができるという効果が得られる。
【図面の簡単な説明】
【００４３】
【図１】実施例におけるインターネットバンキング新規契約システムの構成を示すブロック図
【図２】実施例における自動取引装置の構成を示すブロック図
【図３】実施例におけるインターネットバンキングサーバの構成を示すブロック図
【図４】実施例におけるインターネットバンキング新規契約処理を示すフローチャート
【符号の説明】
【００４４】
１    自動取引装置
２    通信回線（専用線）
３    ホストコンピュータ
４    勘定系マスタＤＢ
５    インターネットバンキングサーバ
６    ネットバンク顧客情報ＤＢ
７    通信回線（インターネット）
８    顧客端末
１１  顧客操作表示部
１２  カードリーダ部
１３  入出金部
１４、５２  記憶部
１５、５１  制御部
１５１  ネットバンク契約受付処理部
５１１  ネットバンク顧客情報構築処理部
５１２  最終確認ページ生成処理部
５１３  登録情報処理部
【図１】
2008077586.tif 000003
【図２】
2008077586.tif 000004
【図３】
2008077586.tif 000005
【図４】
2008077586.tif 000006